(57)【特許請求の範囲】
【請求項１】
内燃機関のシリンダヘッド装置であって、
（イ）ガス交換通路（７）と、シリンダブロック（１）に載置された基礎ケーシング（２）とが設けられており、該基礎ケーシングがバルブガイド（６）を有しており、
（ロ）基礎ケーシング（２）に載置されたカップ形タペットケーシング（３）が設けられており、
（ハ）２部分から成る支承台（２２，３７，４４）に支承されたカムシャフト（４３）に被さるシリンダヘッドカバー（４）が設けられており、
（ニ）カップ形タペットケーシング（３）が、シリンダヘッドカバー（４）と基礎ケーシング（２）とによって形成された室内部に配置されている形式のものにおいて、
（ホ）カップ形タペットケーシング（３）が一体的に形成されており、
（ヘ）支承台下半部（２２）が基礎ケーシング（２）に組込まれており、
（ト）支承台上半部（３７）が少なくとも部分的にシリンダヘッドカバー（４）に形成されていることを特徴とする、内燃機関のシリンダヘッド装置。
【請求項２】
支承台上半部（３７）がシリンダヘッドカバー（４）の外壁に結合されており、支承台下半部（２２）が基礎ケーシング（２）の外壁（１０，１２）に一体的に結合されている、請求項１記載のシリンダヘッド装置。
【請求項３】
基礎ケーシング(２)とシリンダヘッドカバー（４）との結合面が、支承台下半部（２２）と支承台上半部（３７）との分割面を有する１平面（Ｔ−Ｔ）内に位置している、請求項１または２記載のシリンダヘッド装置。
【請求項４】
基礎ケーシング（２）とシリンダヘッドカバー（４）とのねじ締結が、少なくともシリンダ孔（５）を有する基礎ブロック（８）の領域で、支承台下半部（２２）および支承台上半部（３７）のねじ締結部（２３）によって行われるようになっている、請求項１から３までのいずれか１項記載のシリンダヘッド装置。
【請求項５】
基礎ケーシング（２）とシリンダブロック（１）とのねじ締結が、各シリンダに付き４つのシリンダねじ（２１）によって行われるようになっており、該シリンダねじが、方形配置を成してそれぞれのシリンダ孔（５）を取り囲んでいる、請求項１から４までのいずれか１項記載のシリンダヘッド装置。
【請求項６】
相並ぶシリンダ孔（５）の隣合ったシリンダねじ（２１）相互間に、支承台（２２，３７）が配置されている、請求項５記載のシリンダヘッド装置。
【請求項７】
シリンダヘッド装置の端部に、チェーンボックス（９）が配置されており、該チェーンボックスの領域で、各カムシャフト（４３）がそれぞれ個別支承台（２２，４４）によって支承されている、請求項１から６までのいずれか１項記載のシリンダヘッド装置。
【請求項８】
個別支承台の下側に、基礎ケーシングに組込まれた支承台下半部（２２）が形成されており、該支承台下半部に、別個の個別支承台上半部分（４４）が載置されている、請求項７記載のシリンダヘッド装置。
【請求項９】
カムシャフト（４３）の軸線方向の支承が個別支承台（２２，４４）によって行われるようになっている、請求項７または８記載のシリンダヘッド装置。
【請求項１０】
シリンダヘッド装置の前記チェーンボックス（９）とは反対側の端面（１１）に、カムシャフト（４３）と整合合致する孔（４５）が形成されている、請求項７から９までのいずれか１項記載のシリンダヘッド装置。
【請求項１１】
基礎ケーシング（２）とカップ形タペットケーシング（３）相互間の分割平面内で、基礎ケーシングおよびカップ形タペットケーシングに鋳造されたオイル通路（１７，１８，１９，３１，３３，３５）が延びている、請求項１から１０までのいずれか１項記載のシリンダヘッド装置。
【請求項１２】
鋳造されたオイル通路を介して、カップ形タペットガイド（２８）への潤滑オイル供給が行われるようになっている、請求項１１記載のシリンダヘッド装置。
【請求項１３】
カムシャフト（４３）への潤滑オイル供給が、分割平面（Ｔ−Ｔ）において鋳造されたオイル通路と、支承台（２２，３７）に通じる穿孔されたオイル通路とを介して行われるようになっている、請求項１１または１２記載のシリンダヘッド装置。
【請求項１４】
バルブガイド（６）とカップ形タペットガイド（２８）とが、シリンダ孔（５）に開口する室（１５）を取り囲んでおり、該室が、スリーブ（４０）によって延長させられてシールされており、該スリーブが、カップ形タペットケーシング（３）とシリンダヘッドカバー（４）との間に挿入されている、請求項１から１３までのいずれか１項記載のシリンダヘッド装置。
【請求項１５】
カップ形タペットケーシング（３）が、室（１５）を取り囲む環状の突起（３１）を有しており、該突起にスリーブ（４０）が嵌め込まれており、シールリング（４１）によって固持されてシールされている、請求項１４記載のシリンダヘッド装置。
【発明の詳細な説明】
【０００１】
【産業上の利用分野】
本発明は、内燃機関のシリンダヘッド装置であって、ガス交換通路と、シリンダブロックに載置された基礎ケーシングとが設けられており、該基礎ケーシングがバルブガイドを有しており、基礎ケーシングに載置されたカップ形タペットケーシングが設けられており、２部分から成る支承台に支承されたカムシャフトに被さるシリンダヘッドカバーが設けられており、カップ形タペットケーシングが、シリンダヘッドカバーと基礎ケーシングとによって形成された室内部に配置されている形式のものに関する。
【０００２】
【従来の技術】
ドイツ連邦共和国特許第４１１６９４２号明細書には上位概念に記載のようなシリンダヘッド装置が開示されている。この公知のシリンダヘッド装置の場合、基礎ケーシングがシリンダブロックに載置されて、このシリンダブロックにねじ締結されている。この基礎ケーシングは、高く引き上げられた外壁を有しており、これらの外壁には、フード状のカバーが載置されている。シリンダヘッドカバーと、基礎ケーシングの高く引き上げられた外壁とによって形成された内室内には、カップ形タペットケーシングが、外壁に対して所定の間隔を置いて配置されている。このカップ形タペットケーシングは基礎ケーシングにねじ締結されている。このカップ形タペットケーシングは、複数部分から形成されており、基礎エレメント内にバルブカップのガイドと、カムシャフトの支承のための支承台下半部とを有している。このような支承台下半部には、別個の支承台上半部が載置されており、下側部分とねじ締結されている。
【０００３】
「Volvo Service Manuel No.TP317 14/2, 第11頁」に基づき、エンジンタイプ B6304に対して、シリンダブロックに載置された基礎ケーシングがカップ形タペットガイドとカムシャフト支承部の下側部分と一体的に形成されているようなシリンダヘッドが公知である。このような基礎ケーシングには、支承部上側部分を支持するシリンダヘッドカバーが載置されている。
【０００４】
特に燃焼室側で高強度の最適な材料構造を達成するためには、例えば上位概念に記載のような従来技術によって可能なように、この材料構造を十分にアンダカットのない鋳造法によって得ることが望ましい。しかしながら、基礎ケーシングにねじ締結された、従来技術によるカップ形タペットケーシングの構成は、ねじ締結部が多数であることにより大きな組付け手間を必要とする。さらに、カップ形タペットケーシングにおいてカムシャフトを支承することに基づき、製造・組付け手間が極めて大きい。それというのは、これらの支承孔が製造時に、カップ形タペットケーシングと基礎ケーシングとの固定的な関係を必要とするからである。
【０００５】
従って、修理時もしくは交換時にも、カップ形タペットケーシングと基礎ケーシングとの固定的な対応関係が必要とされる。
【０００６】
【発明が解決しようとする課題】
従って本発明の課題は、冒頭で述べたようなシリンダヘッド装置を改良して、特に基礎ケーシングの高強度の材料構造が得られると共に、シリンダヘッド装置全体が高い総合剛性を有し、しかも製造および組付けが容易に行われるようなシリンダヘッド装置を提供することである。
【０００７】
【課題を解決するための手段】
この課題を解決するために本発明の構成では、カップ形タペットケーシングが一体的に形成されており、支承台下半部が基礎ケーシングに組込まれており、支承台上半部が少なくとも部分的にシリンダヘッドカバーに形成されているようにした。
【０００８】
本発明の別の有利な構成は請求項２以下に記載されている。
【０００９】
【発明の効果】
このようなシリンダヘッド装置において、基礎ケーシングとシリンダヘッドカバーとの間にカムシャフトが支承され、カップ形タペットケーシングが一体的に形成されてバルブカップのガイドのために役立つようになっていると、組付けられた状態で高い総合剛性を有する、製造・組付けが容易に行われるような構成エレメントが得られる。３つの個々のエレメント、つまり基礎ケーシングとカップ形タペットガイドとシリンダヘッドカバーとの組立てに必要となるねじ締結部の数は僅かにすぎない。これにより、上方に位置するカムシャフトとカップ形タペットとを備えたシリンダヘッドのために比較的小さな全高と特に小さな全幅とを有するような、シリンダヘッド装置の極めてコンパクトな構成が同時に得られる。シリンダヘッド装置がこのように構成されていると、シリンダヘッドカバーとカップ形タペットケーシングとを例えば加圧鋳造構成部分として製造することができる。シリンダヘッド装置の基礎ケーシングは、重力鋳造で製造することができるので有利である。水ガイドのために必要となる通路（水冷式のシリンダヘッドの場合）は、鋳物砂または類似の鋳造技術もしくは成形技術により製造すればよい。これと共に、シリンダヘッド装置のこのような３部構成により、外方に向かってシールすべき分割面は唯１つしかないので、オイル流出は比較的簡単な手段によって阻止することができる。
【００１０】
支承台がそれぞれ隣接する外壁に結合されていると、すなわち、支承台上半部がシリンダヘッドカバーのそれぞれ隣接する外壁に結合され、支承台下半部が基礎ケーシングのそれぞれ隣接する外壁に結合されていると、組付けられた状態におけるシリンダヘッド装置の総合剛性を高めることができるので有利である。
【００１１】
シリンダヘッドカバーと基礎ケーシングとの結合部が１分割面内に位置し、かつこのような分割平面が支承台各半部の分割平面と合致していると、シリンダヘッド装置の製造が簡単になる。
【００１２】
シリンダヘッドカバーと基礎ケーシングとのねじ締結を少なくともシリンダ孔の領域で、支承台各半部のねじ締結部により行うと、シリンダヘッド装置の組付けを著しく簡単にすることができる。これにより、ねじ締結個所が著しく減じられる。これと共に、シリンダヘッド装置の全幅も減じられる。それというのは外側領域には、このような結合のために必要となるねじ締結部がもはや必要でないからである。
【００１３】
シリンダ当たり、方形配置を成してシリンダ孔を取り囲む４つのシリンダねじが設けられていると、シリンダヘッド装置とシリンダブロックとの有利な高強度のねじ締結部が得られる。例えば水平対向型エンジンの場合のように、各シリンダ相互間の構造スペースが十分である場合、互いに隣接するシリンダ孔の２つのシリンダねじ相互間に支承台が配置されていると有利である。
【００１４】
シリンダヘッド装置の端面で各カムシャフトの支承が個別支承台によって行われると、カムシャフトの支承部の製造および組付けが著しく簡単になる。これらの個別支承台によって、カムシャフトの組付け時にバルブばね作用に抗して押さえつけが行われる。これらの個別支承台によってカムシャフトの軸線方向ガイドが行われると、カムシャフト支承部の構成および製造にとって特に有利である。
【００１５】
個別支承台が、カムシャフトの駆動に必要なチェーンボックスの領域に配置されると有利である。こうするとカムシャフト支承部の穿孔は、シリンダヘッド装置の互いに対向する端面から行うことができるので、端面に設けられたこのような開口が、カムシャフト組付け時に同時に、カムシャフトの押さえつけのための工具のための係合部としても役立つことができる。
【００１６】
カップ形タペットケーシングと基礎ケーシングとの結合は、製造技術的に有利な形式でオイル供給のための通路を鋳造することができるような分割平面において行われると有利である。これにより、オイル供給のために必要な穿孔手間が著しく減じられる。このように鋳造されたオイル通路を介すると、バルブカップとカムシャフトとを潤滑するのに必要となる孔は僅かにすぎない。
【００１７】
点火プラグまたは噴射装置の収容のための、燃焼室に開口する室が、カップ形タペットケーシングとシリンダヘッドカバーとの間に挿入されたスリーブによって延長されかつシールされると、シリンダヘッド装置の製造もシールも改善することができる。このようなスリーブは、簡単かつ組付け易い形式で、カップ形タペットケーシングに設けられた環状の突起に挿入しシールすることができる。
【００１８】
【実施例】
以下に本発明の実施例を図面につき詳しく説明する。
【００１９】
内燃機関が、シリンダブロック１に載置されたシリンダヘッド装置を有している。このシリンダヘッド装置のケーシングは３つのケーシング構成エレメント、つまり基礎ケーシング２とカップ形タペットケーシング３とシリンダヘッドカバー４とから構成されている。この実施例では、内燃機関は、シリンダ当たりそれぞれ４つのバルブと上方に位置する２つのカムシャフトとを備えた６シリンダ式の水平対向型エンジンの一方のシリンダ列の形で示されている。従って、このような内燃機関はそれぞれのシリンダ列に付き３つのシリンダ孔５を有している。このことは図１に示した選択的な図において、左側、真ん中、および右側のシリンダもしくは対応するシリンダ孔５として示されている。それぞれのシリンダ孔５は、バルブガイド６内で案内された図示していない４つの皿ばね（２つのインテークバルブおよび２つのエキゾーストバルブ）と、対応するガス交換通路７とを介して制御される。ガス交換通路７とバルブガイド６とは、基礎ケーシング２の基礎ブロック８内に組込まれている。この基礎ブロック８には、端面側でチェーンボックス９が接続されている。このようなチェーンボックスは、制御伝動装置のための駆動手段（詳細には図示せず）を収容するために役立つ。基礎ケーシング２の基礎ブロック８を起点にして外壁１０〜１２が延びている。これらの外壁は、内側の支持面１３に対して、分割平面Ｔ−Ｔにまで引き上げられている。チェーンボックス９は、外壁１４によって取り囲まれている。これらの外壁１４もやはり分割平面Ｔ−Ｔにまで達して、基礎ブロック８の外壁１０，１２に接続されている。
【００２０】
基礎ケーシング２の基礎ブロック８には、３つの室１５が形成されている。これらの室はそれぞれの支持面１３を起点にして延びて、３つのシリンダ孔５のうちの１つに開口している。これらの３つの室１５の軸線は中央長手方向平面Ｍ内に位置しており、それぞれ１つの点火プラグ１６の収容のために役立つ。しかしながらこれらの軸線は、特に自己点火式エンジンの場合、噴射装置またはグロープラグの収容のために役立つこともできる。それぞれの室１５は鋳造された環状の凹部１７によって取り囲まれている。この凹部はシリンダヘッドのオイルガイドの一部である。左側のシリンダの領域に設けられた環状の凹部１７は、やはり鋳造された長手方向溝１８に接続されている。この長手方向溝は、シリンダヘッド装置のオイル供給部に接続されている（詳細には図示せず）。このような長手方向溝１８は、中央長手方向平面Ｍに対してほぼ平行に延びている。真ん中および右側のシリンダの領域に設けられた環状の凹部は、鋳造された別の長手方向溝１９によって互いに接続されている。この長手方向溝は、やはりシリンダヘッド装置のオイル供給部に接続されており、中央長手方向平面Ｍに対してほぼ平行に延びている。環状の凹部１７と長手方向溝１８，１９とはそれぞれシールウェブ２０によって取り囲まれている。このシールウェブのシール面は支持面１３の一部である。環状の凹部１７は、バルブガイド６の貫通開口によって支持面１３に形成された、中央長手方向平面Ｍに対して平行な短辺を有する方形内部にそれぞれ位置している。バルブガイド６はそれぞれこの中央長手方向平面に対して傾斜しており、２列を成して配置されている。
【００２１】
シリンダブロック１と基礎ケーシング２とのねじ締結は２列で行われる。すなわち、これらのねじ締結部は、中央長手方向平面Ｍに対して平行に延びる平面Ｅ１もしくは平面Ｅ２内に位置している。基礎ケーシング２とシリンダブロック１とのねじ締結部２１と、詳細には説明しない別のねじ締結部とは、判り易くするために孔によってのみしか示していない。シリンダ孔５当たりそれぞれ４つのねじ締結部２１が設けられている。これらのねじ締結部の結合線は、バルブガイド６を取り囲む方形を成している。各シリンダに付き４つのねじ締結部２１により形成された方形は中央長手方向平面Ｍに対して平行な短辺を有している。
【００２２】
さらに基礎ケーシング２の基礎ブロック８には、各カムシャフトもしくは各バルブ列に付き４つの支承台下半部２２が配置されている。両バルブ列のそれぞれの支承台下半部は対を成して互いに向き合っている。第１の支承台下半部対（２２）はチェーンボックス９の領域に配置されている。第２の支承台下半部対（２２）は、互いに向き合う外壁１１もしくは端壁の領域に位置している。さらに別の支承台下半部対は、左側および真ん中の両シリンダ相互間もしくは真ん中および右側の両シリンダ相互間に位置している。これらの両支承台下半部対（２２）は、隣接する両シリンダ孔５の互いに隣合うねじ締結部２１相互間にそれぞれ配置されている。各支承台下半部２２には、以下に詳しく説明する支承台上半部とのねじ締結のための２つの孔２３が設けられている。これらの孔２３は、挿入しようとするカムシャフトがこれらの孔相互間に位置するように配置されている。こうして、４列もしくは４平面のねじ締結部もしくは孔２３が形成される。このような孔平面は、図１に示した基礎ケーシング２の方向においては、上から下に向かって符号Ｂ１〜Ｂ４で示されている。孔平面Ｂ１は、ねじ締結部２１の平面Ｅ１の上方に位置しており、孔平面Ｂ２はこのような平面Ｅ１の下方に位置している。両孔平面Ｂ１，Ｂ２は中央長手方向平面Ｍの上方に位置している。下列の支承台下半部の孔平面は、符号Ｂ３，Ｂ４で示されている。孔平面Ｂ３はねじ締結部２１の平面Ｅ２の上方に位置しており、孔平面Ｂ４はこの平面Ｅ２の下方に位置している。
【００２３】
各平面Ｅ１もしくは平面Ｅ２に位置する、各シリンダ孔５のねじ締結部２１相互間には、それぞれ別のねじ締結部２４が位置している。このねじ締結部２４を介して、カップ形タペットケーシング３と基礎ケーシング２とが互いに結合される。カップ形タペットケーシング２のねじ締結部２４は、中央長手方向平面Ｍに対して平行な２つの平面Ｔ１；Ｔ２内に位置している。上側の平面Ｔ１は、外壁１０に向いた孔平面Ｂ１とねじ締結部２１の平面Ｅ１との間に位置している。下側の平面Ｔ２は、ねじ締結部２１の下側の平面Ｅ２と、支承台下半部２２の前記外壁１２に向いた孔平面Ｂ４との間に位置している。カップ形タペットケーシング３のための第３列のねじ締結部２５が中央長手方向平面Ｍ内に位置している。鋳造されたオイル通路の一層良好なシールのために、付加的なねじ締結部２６が、シールウェブ２０の領域に設けられている。
【００２４】
基礎ケーシング２の支持面１３には、カップ形タペットケーシング３の底面２７が載置されて、孔もしくはねじ締結部２４〜２６が対応して続くようになっている。カップ形タペットケーシング３は各シリンダ孔５に付き４つのカップ形タペットガイド２８を有している。これらのカップ形タペットガイドは、バルブガイドの各軸線と整合合致する。各シリンダに付き４つのカップ形タペットガイド２８が互いに結合されている。４つのカップ形タペットガイド２８のこのような各グループはウェブ２９を介して、カップ形タペットガイド２８の隣接するグループに結合されているので、カップ形タペットケーシング全体が一体的に形成されている。各シリンダに付き４つのカップ形タペットガイドによって仕切られた室内部には、孔３０が設けられている。この孔は室１５と整合合致する。このような各孔はカップ形タペットケーシング３の上側で環状の突起３１によって取り囲まれている。カップ形タペットケーシング３の底面２７には、各孔３０に付きこのような孔を取り囲む１つの環状溝３２が形成されている。この環状溝は、支持面１３に設けられた環状の凹部１７と共にオイル通路を形成する。左側のシリンダ孔の領域に設けられた環状溝３２は、長手方向溝３３に接続されている。この長手方向溝は長手方向ウェブ３４に配置されており、基礎ケーシング２に設けられた長手方向溝１８と一緒にオイル通路を形成する。真ん中および右側のシリンダ孔の領域に設けられた環状溝３２は、やはり長手方向溝３５を介して互いに接続されている。この長手方向溝は、基礎ケーシング２に設けられた対応する長手方向溝１９と協働し、長手方向ウェブ３６に鋳造されている。カップ形タペットガイドのオイル供給は傾斜孔４６を介して行われる。これらの傾斜孔は環状溝３２に開口している。
【００２５】
シリンダヘッド装置はシリンダヘッドカバー４によって閉鎖されている。このシリンダヘッドカバーは、分割平面Ｔ−Ｔの領域において基礎ケーシング２の外壁１０〜１２，１４に載置されており、カップ形タペットケーシング３に被さっている。シリンダヘッドカバーは３対の支承台上半部３７を有している。これらの支承台上半部は、左側および真ん中のシリンダ相互間と、真ん中および右側のシリンダ相互間と、右側の端壁もしくは外壁１１の領域とに配置された支承台下半部２２と協働する。このような支承台上半部３７は、それぞれシリンダヘッドカバー４の外壁を起点として延びるか、もしくはこの外壁に一体的に結合されている。基礎ケーシング２とシリンダヘッドカバー４とのねじ締結は、基礎ブロック８の領域において、支承台半部のねじ締結部として形成された孔２３によって行われる。チェーンボックス９の領域にのみ、付加的なねじ締結部３８が外壁１４の領域に設けられている。シリンダヘッドカバー４には、３つの孔３９が配置されている。これらの孔は、それぞれ前記室１５のうちの１つと整合合致する。これらの孔３９には、スリーブ４０が挿入されている。これらのスリーブはカップ形タペットケーシング３の環状の突起３１内にまで突入しており、この場所および孔３９の領域で、それぞれシールリング４１；４２によってシールされている。これらのスリーブ４０は室１５を延長する。すなわち、基礎ケーシング２とシリンダヘッドカバー４とによって形成された内室に対して、孔３０をシールする訳である。
【００２６】
カムシャフト４３の支承は、チェーンボックス９の領域において、両支承台下半部２２によって行われる。これらの両支承台下半部には、それぞれ別個の個別支承台上半部４４が載置されている。このような別個の個別支承台上半部４４は、対応する支承台下半部２２よりも軸線方向で見て広幅であり、カムシャフトの軸線方向ガイドのために役立っている。これにより、各カムシャフトに付き、軸線方向ガイドのための別個の個別支承台上半部は１個しか加工する必要がない。これらの別個の個別支承台上半部によって、組付けと同時にチェーンボックス側にカムシャフトが、バルブばね（図示せず）の作用に抗して押えつけられる。基礎ケーシングの対向して位置する端面つまり外壁１１、もしくはシリンダヘッドカバーの対応端面には、組付け孔４５が加工成形されている。これらの組付け孔は、支承孔を加工するために役立つとともに、組付け時にカムシャフトを押えつけるためにも役立つ。すなわち、組付けのために必要な空隙を提供する訳である。
【図面の簡単な説明】
【図１】シリンダヘッド装置の開いた基礎ケーシングの平面図である。
【図２】カップ形タペットケーシングの平面図である。
【図３】シリンダヘッド装置を、シリンダの燃焼室中央を図１のＩＩＩ−ＩＩＩ線に沿って断面した状態で示した横断面図である。
【図４】図１のＩＶ−ＩＶ線に沿った、支承台の領域を示す別の横断面図である。
【図５】図１のＶ−Ｖ線に沿った、シリンダのバルブガイドの領域を示す別の横断面図である。
【図６】図１のＶＩ−ＶＩ線に沿った、基礎ケーシングの一部を断面した縦断面図である。
【符号の説明】
１  シリンダブロック、  ２  基礎ケーシング、  ３  カップ形タペットケーシング、  ４  シリンダヘッドカバー、  ５  シリンダ孔、  ６  バルブガイド、  ７  ガス交換通路、  ８  基礎ブロック、  ９  チェーンボックス、  １０〜１２  外壁、  １３  支持面、  １４  外壁、  １５  室、  １６  点火プラグ、  １７  凹部、  １８，１９  長手方向溝、  ２０  シールウェブ、  ２１ねじ締結部、  ２２  支承台下半部、  ２３  孔、  ２４〜２６  ねじ締結部、  ２７  底面、  ２８  カップ形タペットガイド、  ２９  ウェブ、  ３０  孔、  ３１  突起、  ３２  環状溝、  ３３  長手方向溝、  ３４  長手方向ウェブ、  ３５  長手方向溝、  ３６  長手方向ウェブ、  ３７  支承台半部、  ３８  ねじ締結部、  ３９  孔、  ４０  スリーブ、  ４１，４２  シールリング、  ４３  カムシャフト、  ４４  個別支承台上半部、  ４５  組付け孔、  ４６  傾斜孔、  Ｍ  中央長手方向平面、  Ｔ−Ｔ  分割平面
【図１】
0003648285.tif 000002
【図２】
0003648285.tif 000003
【図３】
0003648285.tif 000004
【図４】
0003648285.tif 000005
【図５】
0003648285.tif 000006
【図６】
0003648285.tif 000007